(57)【要約】【課題】配線工事により遠隔操作用の制御線を新たに設ける必要がなく、簡単な構成で容易に設置することのできる音声信号処理システムを提供する。【解決手段】遠隔操作装置１００は、音声調整のために操作される操作部１４０と、操作部１４０の操作に応じて、音声信号処理装置２００の処理対象である音声信号とは別の操作用の基準の音声信号である操作用基準音声信号を調整して、操作用調整音声信号を生成する音声調整部１２０とを備え、操作用調整信号を音声信号処理装置２００へ出力する。音声信号処理装置２００は、処理対象の音声信号に信号処理を行う信号処理部２６０と、操作用基準音声信号に対する操作用調整音声信号の変化量を計測する音声計測部２２０と、変化量に基づいて信号処理の制御信号を生成して、信号処理部２６０に供給する音声制御部２３０とを備えている。【選択図】図１
2008306556.tif 000002
【特許請求の範囲】
【請求項１】
音声信号に信号処理を行う音声信号処理装置と、前記音声信号処理装置に接続された遠隔操作装置とを有する音声信号処理システムであって、
前記遠隔操作装置は、音声調整のために操作される操作部と、前記操作部の操作に応じて、前記音声信号処理装置の処理対象である音声信号とは別の操作用の基準の音声信号である操作用基準音声信号を調整して、操作用調整音声信号を生成する音声調整部とを備え、前記操作用調整音声信号を前記音声信号処理装置へ出力し、
前記音声信号処理装置は、前記処理対象の音声信号に信号処理を行う信号処理部と、前記操作用基準音声信号に対する前記操作用調整音声信号の変化量を計測する音声計測部と、前記変化量に基づいて前記信号処理の制御信号を生成して、前記信号処理部に供給する音声制御部とを備えたことを特徴とする音声信号処理システム。
【請求項２】
前記音声信号処理装置は、前記操作用基準音声信号を発生する基準信号発振部を備え、前記音声信号処理装置から前記遠隔操作装置へ前記操作用基準音声信号が供給されることを特徴とする請求項１に記載の音声信号処理システム。
【請求項３】
前記音声信号処理装置は、複数のチャネルの音声信号を処理し、
前記遠隔操作装置は、前記複数のチャネルに対応し、時分割または周波数分割の少なくとも一方により分離された複数の操作用基準音声信号を調整して、複数の操作用調整音声信号を生成し、前記複数の操作用調整音声信号を混合して、前記音声処理装置へ出力することを特徴とする請求項１または２に記載の音声信号処理システム。
【請求項４】
複数の遠隔操作装置が複数の設置地点に設置され、複数の表示装置が前記複数の遠隔操作装置と共に前記複数の設置地点にそれぞれ設けられ、
各表示装置は、当該表示装置が設けられた設置地点、または、当該表示装置が設けられた設置地点以外である他地点の遠隔操作装置のどちらで操作がなされたかと、操作がなされた遠隔操作装置による操作量の情報とを表示する請求項１ないし３のいずれかに記載の音声信号処理システム。
【請求項５】
前記複数の表示装置が前記音声信号処理装置に接続されており、
前記音声信号処理装置は、前記各表示装置に対して、前記信号処理部にて適用された遠隔操作の操作量である適用操作量の情報と、前記他地点の遠隔操作装置による操作量の情報である他地点操作量の情報とを供給し、
前記各表示装置は、前記適用操作量の情報と前記他地点操作量の情報とを比較し、比較結果に基づいて表示を行うことを特徴とする請求項４に記載の音声信号処理システム。
【請求項６】
前記複数の遠隔操作装置が複数の地点に設置され、複数の選択操作装置が前記複数の遠隔操作装置と共に前記複数の設置地点にそれぞれ設けられ、前記複数の選択操作装置は前記音声信号処理装置に接続され、
前記音声信号処理装置は、前記複数の選択操作装置のうち、一の選択操作装置からの操作を受け付けると、前記一の選択操作装置以外である他の選択操作装置の設置地点に設けられた前記遠隔操作装置による遠隔操作を禁止することを特徴とする請求項１ないし５のいずれかに記載の音声信号処理システム。
【請求項７】
前記音声信号処理装置に接続され、予め設定された前記操作用調整音声信号である設定調整音声信号を記憶する設定メモリを備え、
前記音声信号処理装置は、前記設定メモリから読み出された前記設定調整音声信号を用いて前記信号処理を行うことを特徴とする請求項１ないし６のいずれかに記載の音声信号処理システム。
【請求項８】
遠隔操作装置に接続され、音声信号に信号処理を行う音声信号処理装置であって、
前記処理対象の音声信号に信号処理を行う信号処理部と、
前記処理対象である音声信号とは別の操作用の基準の音声信号である操作用基準音声信号と、前記遠隔操作装置により前記操作用基準音声信号を調整して生成される操作用調整音声信号とを用いて、前記操作用基準音声信号に対する前記操作用調整音声信号の変化量を計測する音声計測部と、
前記変化量に基づいて前記信号処理の制御信号を生成して、前記信号処理部に供給する音声制御部とを備えたことを特徴とする音声信号処理装置。
【発明の詳細な説明】
【技術分野】
【０００１】
本発明は、入力される音声信号に信号処理を行う音声信号処理装置と、音声信号処理装置に接続された遠隔操作装置とを有する音声信号処理システムに関する。
【背景技術】
【０００２】
従来、オーディオミキサー等の音声信号処理装置を離れた所から遠隔操作装置を用いて操作する音声信号処理システムが提案されている（例えば、特許文献１）。特許文献１に記載のシステムでは、音声信号処理装置（本体機器）と遠隔操作装置（リモート部）との間が、コモンライン、アップラインおよびダウンラインの３本の遠隔操作用の制御線で接続されている。このシステムでは、遠隔操作装置によるボリューム調節操作によって、アップラインまたはダウンラインをコモンラインに短絡させて、音声信号処理装置に設けられた音声信号ボリューム調節器を音量上昇方向または下降方向に回転させることにより、音声信号のボリューム調節が行われる。
【０００３】
ところで、従来の一般的な音声信号処理システムの一例として、図１４の構成が挙げられる。図１４の例では、体育館等の舞台付施設に音声信号処理システムが設置されている。図１４に示されるように、音声信号処理システム１４００は、ミキサー１４０１と、アンプ１４０２と、接続盤１４０３と、スピーカ１４０４と、マイク１４０５とを備えている。
【０００４】
図１４において、ミキサー１４０１は体育館の舞台脇に設置され、アンプ１４０２および接続盤１４０３は体育館の音響設備室に設置され、マイク１４０４およびスピーカ１４０５は体育館の場内に設置されている。ミキサー１４０１は音声伝送線１４０６、１４０７によりアンプ１４０２および接続盤１４０３に接続され、スピーカ１４０４およびマイク１４０５は音声伝送配線１４０７、１４０８によりアンプ１４０２および接続盤１４０３に接続されている。各音声伝送線１４０６〜１４０９は、音声を伝送するために用いられた配線であって、例えば床下や天井裏に固定して設けられている。入力音声はマイク１４０５からミキサー１４０１に入力され、ミキサー１４０１で音量または音質が調整され、調整後の音声がアンプ１４０２により増幅されてスピーカ１４０４から出力される。
【特許文献１】特開平６−１７８３６０号公報
【発明の開示】
【発明が解決しようとする課題】
【０００５】
しかしながら、特許文献１に記載される従来の音声信号処理システムでは、遠隔操作装置と音声信号処理装置との間を遠隔操作用の制御線で接続する必要があり、そのための配線工事も必要であり、従って設置が容易でなく構成も複雑になるという問題があった。
【０００６】
例として、図１４に示した従来の音声信号処理システム１４００において、舞台脇のミキサー１４０１が老朽化し、新機能を搭載した新しいミキサー１４１０（点線）を音響設備室に設置する場合を考える。この場合に、旧ミキサー１４０１が設置されていた舞台脇から、音響設備室の新しいミキサー１４１０を遠隔操作しようとしたとする。
【０００７】
この場合、図１４の音声信号処理システム１４００では、音響設備室と舞台脇との間には音声伝送線１４０６、１４０７が設けられているだけで、特許文献１に記載されるような遠隔操作用の制御線が設けられていない。この音声伝送配線１４０６、１４０７は、特許文献１に記載されるような遠隔操作用の制御線として利用することができない。従って、従来は、新しいミキサー１４１０を設置しようとした場合、配線工事を行って、音響設備室と舞台脇との間に遠隔操作用の制御線を新たに設けなければならなかった。
【０００８】
本発明は、上記従来の問題を解決するためになされたもので、遠隔操作用の制御線を新たに設ける必要がなく、簡単な構成で容易に設置できる音声信号処理システムを提供することを目的とする。
【課題を解決するための手段】
【０００９】
本発明の音声信号処理システムは、音声信号に信号処理を行う音声信号処理装置と、前記音声信号処理装置に接続された遠隔操作装置とを有する音声信号処理システムであって、前記遠隔操作装置は、音声調整のために操作される操作部と、前記操作部の操作に応じて、前記音声信号処理装置の処理対象である音声信号とは別の操作用の基準の音声信号である操作用基準音声信号を調整して、操作用調整音声信号を生成する音声調整部とを備え、前記操作用調整音声信号を前記音声信号処理装置へ出力し、前記音声信号処理装置は、前記処理対象の音声信号に信号処理を行う信号処理部と、前記操作用基準音声信号に対する前記操作用調整音声信号の変化量を計測する音声計測部と、前記変化量に基づいて前記信号処理の制御信号を生成して、前記信号処理部に供給する音声制御部とを備えた構成を有している。
【００１０】
この構成により、遠隔操作装置では、操作用の基準の音声信号である操作用基準音声信号を調整して操作用調整音声信号を生成し、操作用調整音声信号を音声信号処理装置へ出力し、音声信号処理装置では、操作用基準音声信号に対する操作用調整音声信号の変化量に基づいて信号処理を行う。本発明は、信号処理の対象とは別の操作用の音声信号を使っている。この操作用の音声信号は、遠隔操作装置での操作量を表すという特殊な用途に使われる。このような音声信号の使い方により、遠隔操作が実現される。そして、遠隔操作用の信号に音声信号を用いることができるので、遠隔操作装置と音声信号処理装置との間の接続線には、音声を伝送するための音声伝送線を用いることができ、例えば図１４に示した既設の配線を利用することもできる。従って、配線工事により遠隔操作用の制御線を新たに設ける必要がなく、遠隔操作可能な音声信号処理システムを簡単な構成で容易に設置できる。
【００１１】
また、本発明の音声信号処理システムにおいて、前記音声信号処理装置は、前記操作用基準音声信号を発生する基準信号発振部を備え、前記音声信号処理装置から前記遠隔操作装置へ前記操作用基準音声信号が供給される構成を有している。
【００１２】
この構成により、音声信号処理装置にて操作用基準音声信号が発生され、音声信号処理装置から遠隔操作装置へ操作用基準音声信号が供給されるので、遠隔操作装置側に操作用基準音声信号を生成する機能を設ける必要がなく、遠隔操作装置の構成を簡単にできる。
【００１３】
また、本発明の音声信号処理システムにおいて、前記音声信号処理装置は、複数のチャネルの音声信号を処理し、前記遠隔操作装置は、前記複数のチャネルに対応し、時分割または周波数分割の少なくとも一方により分離された複数の操作用基準音声信号を調整して、複数の操作用調整音声信号を生成し、前記複数の操作用調整音声信号を混合して、前記音声信号処理装置へ出力する構成を有している。
【００１４】
この構成により、遠隔操作装置が、時分割または周波数分割の少なくとも一方により分離された複数の操作用基準音声信号を調整して複数の操作用調整音声信号を生成し、それら複数の操作調整音声信号を混合して、音声信号処理装置へ出力する。音声信号処理装置では、混合信号を複数の操作用調整信号に分離してチャネル毎の処理を行う。従って、複数のチャネルの音声信号処理も好適に遠隔操作できる。本発明によれば、後述する実施の形態のように、例えば一般的なミキサーを遠隔操作装置として用いることもできる。
【００１５】
また、本発明の音声信号処理システムにおいて、複数の遠隔操作装置が複数の設置地点に設置され、複数の表示装置が前記複数の遠隔操作装置と共に前記複数の設置地点にそれぞれ設けられ、各表示装置は、当該表示装置が設けられた設置地点、または、当該表示装置が設けられた設置地点以外である他地点の遠隔操作装置のどれかで操作がなされたかと、操作がなされた遠隔操作装置による操作量の情報とを表示する構成を有している。
【００１６】
この構成により、複数の表示装置が、複数の設置地点にて、複数の遠隔操作装置と共に設けられ、各表示装置には、他地点の遠隔操作装置の操作情報も含めて、操作がなされた遠隔操作装置による操作量の情報が表示される。従って、各遠隔操作装置の操作者は、他地点の遠隔操作装置の操作情報や、操作がなされた遠隔操作装置による操作量の情報を確認しながら、音声調整をすることができる。この結果、各遠隔操作装置にて、操作の競合を回避できる。
【００１７】
また、本発明の音声信号処理システムにおいて、前記複数の表示装置が前記音声信号処理装置に接続されており、前記音声信号処理装置は、前記各表示装置に対して、前記信号処理部にて適用された遠隔操作の操作量である適用操作量である適用操作量の情報と、前記他地点の遠隔操作装置による操作量である他地点操作量の情報とを供給し、前記各表示装置は、前記適用操作量の情報と前記他地点操作量の情報とを比較し、比較結果に基づいて表示を行う構成を有している。
【００１８】
この構成により、各表示装置は、音声信号処理装置からの供給された適用操作量の情報と他地点操作量の情報とを比較し、比較結果に基づいて情報の表示を行う。従って、他地点の遠隔操作装置の操作状態を好適に表示できる。
【００１９】
また、本発明の音声信号処理システムは、前記複数の遠隔操作装置が複数の地点に設置され、複数の選択操作装置が前記複数の遠隔操作装置と共に前記複数の設置地点にそれぞれ設けられ、前記複数の選択操作装置は前記音声信号処理装置に接続され、前記音声信号処理装置は、前記複数の選択操作装置のうち、一の選択操作装置からの操作を受け付けると、前記一の選択操作装置以外である他の選択操作装置の設置地点に設けられた前記遠隔操作装置による遠隔操作を禁止する構成を有している。
【００２０】
この構成により、複数の選択操作装置が複数の遠隔操作装置と共に、複数の設置地点にそれぞれ設けられ、音声信号処理装置は、複数の選択操作装置のうち、一の選択操作装置からの操作を受け付けると、一の選択操作装置以外である他の選択操作装置の設置地点に設けられた遠隔操作装置による遠隔操作を禁止するので、複数の選択操作装置による操作が確実に互いに競合しないようにすることができる。
【００２１】
また、本発明の音声信号処理システムにおいて、前記音声信号処理装置に接続され、予め設定された前記操作用調整音声信号である設定調整音声信号を記憶する設定メモリを備え、前記音声信号処理装置は、前記設定メモリからの読み出された前記設定調整音声信号を用いて前記信号処理を行う構成を有している。
【００２２】
この構成により、遠隔操作装置からの操作用調整音声信号に加えて、設定メモリに予め設定された設定調整音声信号を用いて、音声信号処理装置に信号処理を行わせることができる。例えば、使用状況に応じた設定調整音声信号を設定メモリに予め設定して、これを用いて音声信号処理装置に信号処理を行わせることができる。
【００２３】
また、本発明の音声信号処理装置は、遠隔操作装置に接続され、音声信号に信号処理を行う音声信号処理装置であって、前記処理対象の音声信号に信号処理を行う信号処理部と、前記処理対象である音声信号とは別の操作用の基準の音声信号である操作用基準音声信号と、前記遠隔操作装置により前記操作用基準音声信号を調整して生成される操作用調整音声信号とを用いて、前記操作用基準音声信号に対する前記操作用基準音声信号の変化量を計測する音声計測部と、前記変化量に基づいて前記信号処理の制御信号を生成して、前記信号処理部に供給する音声制御部とを備えた構成を有している。この構成によっても、上述した本発明と同様に、配線工事により遠隔操作用の制御線を新たに設ける必要がなく、遠隔操作可能な音声信号処理システムで使用される音声信号処理装置を簡単な構成で容易に設置できる。
【発明の効果】
【００２４】
本発明は、上述したように、処理対象とは別の音声信号を遠隔操作用の信号として用いて遠隔操作を実現するので、遠隔操作用の制御線を新たに設ける必要がなく、簡単な構成で容易に設置できるという効果を有する音声信号処理システムを提供することができるものである。
【発明を実施するための最良の形態】
【００２５】
（第１の実施の形態）
以下、本発明の第１の実施の形態に係る音声信号処理システムについて、図面を用いて説明する。本発明の第１の実施の形態における音声信号処理システムの構成を図１および図２に示す。図１には音声信号処理システムの要部構成を示し、図２には音声信号処理システム全体の概略構成を示す。図２の例では、本実施の形態の音声信号処理システムが、舞台付の体育館に設置される。ただし、本発明の適用対象は限定されず、任意の施設に設置されてもよいことはもちろんである。
【００２６】
まず、図２を参照して、音声信号処理システム１０００の全体の構成について説明する。図２に示されるように、音声信号処理システム１０００は、遠隔操作装置１００と、音声信号処理装置２００と、接続盤３００と、アンプ４００と、スピーカ５００と、マイク６００とを備えている。
【００２７】
音声信号処理システム１０００の各機器は、体育館の場内、舞台脇または音響設備室に設置されている。図２に示されるように、体育館の場内にはスピーカ５００およびマイク６００が設置され、体育館の舞台脇に遠隔操作装置１００が設置され、体育館の音響設備室に音声信号処理装置２００、接続盤３００およびアンプ４００が設置されている。音声処理装置２００は接続盤３００およびアンプ４００と接続されている。また、遠隔操作装置１００は音声伝送線７１０、７２０により音声信号処理装置２００に接続され、スピーカ５００は音声伝送線７３０によりアンプ４００に接続され、マイク６００は音声伝送線７４０により接続盤３００に接続されている。各音声伝送線７１０〜７４０は、音声を伝送するために用いられる配線であって、例えば床下や天井裏に固定して設けられている。
【００２８】
上記の音声信号処理システム１０００では、音声信号が、マイク６００から接続盤３００を介して音声信号処理装置２００に入力される。音声信号処理装置２００はミキサーであって、音量および音質を調整する信号処理を音声信号に施す。そして、音声信号は、アンプ４００に出力され、アンプ４００により増幅されて、スピーカ５００から出力される。また、遠隔操作装置１００による遠隔操作によって、音声処理装置２００の音声調整機能が制御される。
【００２９】
図２の音声信号処理システム１０００は、以下に説明するように、図１４に示した従来の音声信号処理システムに対して最小限の修正を施すことによって実現可能である。
まず、図１４では、ミキサー１４０１が舞台脇に設置されている。これに対して、図２では、新規のミキサーである音声信号処理装置２００が、音響設備室に設置される。そして、音声信号処理装置２００は舞台脇の遠隔操作装置１００へと接続される。
【００３０】
ここで、本実施の形態の特徴として、遠隔操作装置１００からの遠隔操作には後述するように音声信号が用いられる。そこで、遠隔操作装置１００と音声信号処理装置２００の接続には既存の音声伝送線が用いられる。すなわち、図１４の音声伝送線１４０６、１４０７（舞台脇のミキサー１４０１を音響設備室のアンプ１４０２および接続盤１４０３と接続）が、図２の音声伝送線７１０、７２０となり、音声伝送線７１０、７２０により遠隔操作装置１００と音声信号処理装置２００とが接続される。
【００３１】
また、遠隔操作装置１００の構成は、後述するように音声信号の音量や音質を調整する機能によって実現される。つまり、遠隔操作装置１００は既存のミキサー１４０１の機能によって実現できる。そこで、既存のミキサー１４０１をそのまま残して、遠隔操作装置１００として用いることができる。要するに、図２の音声信号処理システム１０００では、２つのミキサーが音響設備室と舞台脇に配置されることになる。そして、音響設備室のミキサーが本体機器として実際のマイク入力等の音声信号を処理し、舞台脇のミキサーが遠隔操作装置として音響設備室のミキサーを遠隔操作する。
【００３２】
このように本実施の形態では既存の音声伝送線やミキサーが遠隔操作に利用できる。こうした既存構成の利用を実現可能にする構成について以下に説明する。
図１に示されるように、本実施の形態の音声信号処理システム１０００では、音声信号を使った遠隔操作を実現するための構成として、音声信号処理装置２００に基準音声信号発振部２１０および音声計測部２２０が設けられている。また、遠隔操作装置１００は、音声入力部１１０、音声調整部１２０、音声出力部１３０および操作部１４０を備えている。
【００３３】
基準音声信号発振部２１０は、音声帯域の信号を発生する発振器の機能を有し、操作用基準音声信号を生成する。操作用基準音声信号は、遠隔操作用の基準の音声信号である。この操作用基準音声信号は、音声信号処理装置２００での処理対象であるマイク入力等の音声信号とは別の信号である。操作用基準音声信号は、例えば、全周波数域で音量が一定の信号である。操作用基準音声信号は、音声信号処理装置２００から音声伝送線７１０を介して遠隔操作装置１００へと送られる。
【００３４】
遠隔操作装置１００は、前述したようにミキサーによって実現される。したがって、音声入力部１１０、音声調整部１２０、音声出力部１３０および操作部１４０といった各種構成は、ミキサーの各種機能により実現される。具体的には、音声入力部１１０および音声出力部１３０は、ミキサーの音声入出力部である。操作部１４０は、音量および音質を調整するための操作部であり、操作部は例えばロータリーボリュームまたはスライドボリュームである。音声調整部１２０は、音量および音質の調整部であり、音質は周波数特性、すなわち周波数に応じた音量変化の特性である。
【００３５】
上記のように、遠隔操作装置１００はミキサーによって実現されるが、通常のミキサーとの相違点としては、通常のミキサーがマイク入力等の音声信号を処理するのに対して、遠隔操作装置１００は、音声信号処理装置２００からの操作用基準音声信号を処理する。操作用基準音声信号は、音声入力部１１０から入力され、音声調整部１２０に供給される。音声調整部１２０では、操作部１４０への操作に応じて操作用基準音声信号が調整される。具体的には、操作用基準音声信号の音量と音質が調整される。調整後の信号が、操作用調整音声信号として音声出力部１３０から音声信号処理装置２００へと、音声伝送線７２０を介して出力される。
【００３６】
操作用調整音声信号は、音声信号処理装置２００に入力されて、音声計測部２２０に供給される。音声計測部２２０は、操作用基準音声信号に対する操作用調整音声信号の変化量を計測する。変化量としては音声信号の増幅率が計測される。より詳細には、操作用調整音声信号は、操作用基準音声信号に対して、音量および音質が調整されている。そこで、音量および音質の増幅率が計測される。音質は周波数特性で表され、周波数特性の変化が周波数毎の増幅率として得られる。こうして得られる変化量は、遠隔操作装置１００における操作部１４０への操作量と対応しており、操作量の情報として音声信号処理装置２００にて使用される。
【００３７】
次に、上記の計測結果の変化量を操作量として使用して音声信号処理を行う構成について説明する。音声信号処理装置２００は、さらに、音声制御部２３０、音声情報表示部２４０、音声入力部２５０、信号処理部２６０および音声出力部２７０を備えている。
【００３８】
音声制御部２３０は、音声計測部２２０で計測された変化量に基づいて、信号処理部２６０への制御信号を生成する。制御信号は、変化量として得られた音量および音質（周波数特性）の操作を信号処理部２６０での信号処理に反映するための信号である。
【００３９】
音声入力部２５０、信号処理部２６０および音声出力部２７０は、ミキサーの入出力機能と音声調整機能を実現するための構成である。音声信号処理装置２００がデジタルミキサーであり、信号処理部２６０がＤＳＰ（Digital Signal Processor）で構成されてよい。信号処理部２６０は、音声制御部２３０からの制御信号に従って音声信号を処理する。これにより遠隔操作装置１００での操作が信号処理に反映される。
【００４０】
また、音声情報表示部２４０は、音声制御部２３０に制御されて、音声信号処理装置２００での音声調整状態、すなわち、音量および音質の調整状態を表示する構成であり、ディスプレイやＬＥＤ等で構成される。
【００４１】
以上に音声信号処理システム１０００の各部の構成について順次説明した。その他、音声信号処理システム１０００は、以下のようなキャリブレーション機能を有している。キャリブレーションでは、遠隔操作装置１００において、操作部１４０が所定のキャリブレーション用の位置にセットされる。例えば、音量が０の位置に操作部１４０がセットされる。それから、基準音声信号発振部２１０から操作用基準音声信号が出力されて、操作用調整音声信号が遠隔操作装置１００から音声信号処理装置２００に入力され、音声計測部２２０で計測される。計測結果を用いてキャリブレーションが行われ、これにより、音声信号処理装置２００は、遠隔操作装置１００側の操作部１４０での操作量の絶対値を検出することができる。
【００４２】
次に、本実施の形態の音声信号処理システム１０００の動作について、図に基づいて説明する。ここでは、遠隔操作装置１００を用いて、音声信号処理装置２００における音声調整（音量および音質の調整）を遠隔操作する場合について説明する。
【００４３】
マイク６００からの音声信号は、音声信号処理装置２００での処理対象の信号として、音声入力部２５０から入力される。この音声信号は、信号処理部２６０での処理を経て、音声出力部２７０から出力される。そして、音声信号は、アンプ４００で増幅され、スピーカ５００から体育館の場内へと出力されている。
【００４４】
上記の処理対象の音声信号とは別に、操作用基準音声信号が、音声信号処理装置２００の基準音声信号発振部２１０で生成され、音声伝送線７１０を介して遠隔操作装置１００に入力されている。
【００４５】
操作者は、体育館の場内でのスピーカ５００からの出力音声を聞き、必要に応じて操作部１４０を操作する。操作者により操作部１４０が操作されると、操作に応じて操作用基準音声信号が音声調整部１２０にて調整されて操作用調整音声信号が生成されて、操作用調整音声信号が音声出力部１３０から出力される。
【００４６】
なお、上記の操作の際、操作用の音声信号がスピーカ等から出力されることはない。したがって、操作者が、操作用の音声信号を聴くこともない。操作用の音声信号は、操作部１４０への操作量を表すために専ら使用される。
【００４７】
遠隔操作装置１００で生成された操作用調整音声信号は、伝送線７２０を介して音声信号処理装置２００へと入力され、音声計測部２２０に供給される。音声計測部２２０は、操作用基準音声信号に対する操作用調整音声信号の変化量を計測する。ここでは、前述したように、音量および周波数特性の変化量が、遠隔操作装置１００での操作量の情報として得られる。そして、音声制御部２３０が、音声計測部２２０により計測された変化量に基づいて制御信号を生成して信号処理部２６０へ供給する。信号処理部２６０では、音声入力部２５０からの入力音声信号に対して信号処理が行われ、処理後の音声信号が音声出力部２７０から出力される。また、音声制御部２３０により制御されて、音声情報表示部２４０にて音量および音質の調整状態が表示される。
【００４８】
このような本発明の第１の実施の形態の音声信号処理システム１０００によれば、遠隔操作装置１００では、操作用の基準の音声信号である操作用基準音声信号を調整して操作用調整音声信号を生成し、操作用調整音声信号を音声信号処理装置１００へ出力し、音声信号処理装置１００では、操作用基準音声信号に対する操作用調整音声信号の変化量に基づいて信号処理を行う。本発明は、信号処理の対象とは別の操作用の音声信号を使っている。この操作用の音声信号は、遠隔操作装置１００での操作量を表すという特殊な用途に使われる。
【００４９】
このような音声信号の使い方により、遠隔操作が実現される。そして、遠隔操作用の信号に音声信号を用いることができるので、遠隔操作装置１００と音声信号処理装置２００との間の接続線には、音声を伝送するための音声伝送線７１０、７２０を用いることができ、例えば図１４に示した既設の配線１４０６、１４０７を利用することもできる。従って、配線工事により遠隔操作用の制御線を新たに設ける必要がなく、遠隔操作可能な音声信号処理システムを簡単な構成で容易に設置できる。
【００５０】
また、本実施の形態によれば、上述の例では、既存のミキサーを遠隔操作装置１００として利用することが可能である。したがって、既存のミキサーを有効活用でき、遠隔操作装置１００として新規の構成を設けなくても、遠隔操作を実現できる。
さらに、本実施の形態の例では、既存のミキサーの操作部を活用できるので、新しい操作部が不要である。そして、これにより、新しい操作方法を覚え直す必要がなく、容易に新しいミキサー（音声信号処理装置２００）を操作できる。
【００５１】
また、本実施の形態では、遠隔操作装置１００は、ミキサーで実現されなくてもよい。遠隔操作装置１００が専用の装置でもよい。この場合に、遠隔操作装置１００は、音声の入出力機能と調整機能を備えていれば実現できる。したがって、遠隔操作装置１００を簡素で安価な構成で提供でき、例えば、市販の可変抵抗器等で遠隔操作装置１００を作ることも可能である。このように、本実施の形態では、遠隔操作装置１００の構成を簡単にできるという利点も得られる。
【００５２】
また、音声信号処理装置２００にて操作用基準音声信号が発生され、操作用基準音声信号が音声信号処理装置２００から遠隔操作装置１００へ供給されるので、遠隔操作装置１００側に操作用基準音声信号を生成する機能を設ける必要がなく、遠隔操作装置１００の構成を簡単にすることができる。
【００５３】
（第２の実施の形態）
以下、本発明の第２の実施の形態に係る音声信号処理システムについて、図面を用いて説明する。本実施の形態における音声信号処理システム１００１の構成を図３に示す。図１に示されるように、第１の実施の形態では、基準音声信号発振部２１０が音声信号処理装置２００内に設けられているが、図３に示されるように、本実施の形態では、基準音声信号発振部２１０ａが遠隔操作装置１００および音声信号処理部２００とは別に設けられている点で相違する。基準音声信号発振部２１０ａは、例えば発振器を備えた小型の装置であり、遠隔操作装置１００の近傍、すなわち、舞台脇に配置され、遠隔操作装置１００と接続される。また、音声信号処理装置２００には、操作用基準音声信号が記録されており、この信号が計測に使用される。このような構成であっても、操作用基準音声信号が音声信号発振部２１０ａから遠隔操作装置１００へ供給されるので、上記実施の形態１で説明した効果と同様の効果を奏する。
【００５４】
（第３の実施の形態）
以下、本発明の第３の実施の形態に係る音声信号処理システムについて、図面を用いて説明する。本実施の形態における音声信号処理システムの構成を図４に示す。第１の実施の形態と第３の実施の形態を比較すると、図１に示されるように、第１の実施の形態の音声信号処理システム１０００では、音声信号処理装置２００に１チャネルの音声信号が入力された。一方、図４に示されるように、本実施の形態の音声信号処理システム１００２では、音声信号処理装置２０１に複数のチャネルの音声信号が入力される。そして、音声信号処理システム１００２は、複数チャネルの音声信号の調整処理を個別に遠隔制御するために以下のように構成されている。以下の例では、音声信号処理システム１００２に３本のマイクが設けられ、３チャネルの音声信号が音声信号処理装置２０１へ入力される。
【００５５】
図４に示されるように、本実施の形態では、音声信号処理装置２０１が、３チャネルの音声入力に対応して、３つの音声入力部２５０１〜２５０３を備えている。信号処理部２６０は、音声入力部２５０１〜２５０３から入力される３チャネルの音声信号を処理し、ミキシングする。
【００５６】
また、音声信号処理装置２０１には、基準音声信号発振部２１０を制御する発振制御部２８０が設けられている。発信制御部２８０は、操作用基準音声信号の遠隔操作装置１０１への供給タイミング等を制御する。そして、発振制御部２８０は、音声信号処理装置２０１で処理される複数のチャネルの音声信号に対応して、時分割により分離された複数の操作用基準音声信号を基準音声信号発振部２１０に発生させる。
【００５７】
本実施の形態の例では、音声信号のチャネル数が３であり、発振制御部２８０の制御の下、基準音声信号発振部２１０により３つの操作用基準音声信号が生成される。これら３つの操作用基準音声信号は、同じ音声でよいが、上述したように時分割により分離した状態で生成される。つまり、３つの操作用基準音声信号としては、同じ音声信号が時間的にずれたタイミングで順次生成されればよい。これら３つの操作用基準音声信号は遠隔操作装置１０１へと出力される。
【００５８】
図４に示されるように、遠隔操作装置１０１は、３チャネルの遠隔操作のために、３つの音声入力部１１０１〜１１０３と、３つの音声調整部１２０１〜１２０３と、ミキシング部１５０とを備えている。音声入力部１１０１〜１１０３および音声調整部１２０１〜１２０３は、図１に示した第１の実施の形態における音声入力部１１０および音声調整部１２０と同一の機能を果たす。ミキシング部１５０は、３つの音声調整部１２０１〜１２０３で生成される３チャネルの操作用調整音声信号を混合する。
【００５９】
なお、操作部１４０は、図示されないが、３つのチャネルの操作が可能に構成されており、具体的には、３つのチャネルの操作部（音量操作部および音質操作部）を有している。したがって、操作部１４０を用いて３つの音声調整部１２０１〜１２０３を個別に操作して、３チャネルの操作用基準音声信号を個別に調整できる。
【００６０】
また、本実施の形態の遠隔操作装置１０１は、既に説明したようにミキサーで構成されてよい。ミキサーには一般に複数チャネルの入力機能、音声調整機能およびミキシング機能が備えられている。これら機能によって上述の複数チャネルに対応する遠隔操作装置１００が実現できる。したがって、本実施の形態でも既存のミキサーを改修することなく遠隔操作装置１０１として利用できる。
【００６１】
以上に、本発明の第３の実施の形態に係る音声信号処理システム１００２の構成について説明した。次に、音声信号処理システム１００２の動作について、図に基づいて説明する。
【００６２】
上述したように、発振制御部２８０の制御の下、時分割により分離された３チャネルの操作用基準音声信号が、基準音声信号発振部２１０から出力され、音声入力部１１０１〜１１０３にそれぞれ入力される。そして、操作部１４０への操作に応じて、３チャネルの操作用基準音声信号が、音声調整部１２０１〜１２０３にてそれぞれ調整されて、３つの操作用調整音声信号が生成される。これら３つの操作用調整音声信号がミキシング部１５０へ供給されて混合される。
【００６３】
３チャネルの操作用基準音声信号は上記のように時分割により分離されており、時間的にずれている。したがって、３つの操作用調整音声信号も時間的にずれている。これら信号が混合される結果、混合後の１つの信号においては、３つの操作用調整音声信号が時間的にずれて並ぶことになる。このような混合後の１チャネルの操作用調整音声信号が、音声出力部１３０から出力される。
【００６４】
上記の混合後の操作用調整音声信号は、音声信号処理装置２０１に入力されて、音声計測部２２０に入力される。音声計測部２２０では、まず、入力された操作用調整音声信号が、混合前の３つの操作用調整音声信号に分離される。上述のように３つの操作用調整音声信号は時間的にずれており、このずれが利用されて分離が行われる。
【００６５】
以降は、第１の実施の形態と同様の処理が、３つのチャネルの各々に対して個別に行われる。すなわち、各チャネルで、操作用基準音声信号に対する操作用調整音声信号の変化量が計測され、変化量から音声制御部２３０で制御信号が生成され、制御信号に従って信号処理部２６０で該当チャネルの音声信号が処理される。
【００６６】
このような動作により、音声信号処理システム２０１では、３チャネルの音声を個別に調整できる。例えば、遠隔操作装置１０１において、操作部１４０にて、第１チャネルに対応する操作部が操作されたとする。この場合、第１チャネルの音声調整部１２０１にて、操作に応じて操作用基準音声信号が調整される。そして、ミキシング部１５０での混合後の信号においても、第１チャネルの操作用調整音声信号が、操作用基準音声信号に対して変化する。この第１チャネルの操作用調整音声信号が音声信号処理装置２０１で取得されて、信号処理に使われる。その結果、第１のチャネルに対する操作が、信号処理に反映されることになる。
【００６７】
このような本発明の第３の実施の形態の音声信号処理システム１００２によれば、遠隔操作装置１０１が、時分割により分離された複数の操作用基準音声信号を調整して複数の操作用調整音声信号を生成し、それら複数の操作調整音声信号を混合して、音声信号処理装置２０１へ出力する。音声信号処理装置２０１では、混合信号を複数の操作用調整信号に分離してチャネル毎の処理を行う。従って、複数のチャネルの音声信号処理も好適に遠隔操作できる。また、上述のように、本発明によれば、例えば一般的なミキサーを遠隔操作装置として用いることもできる。
【００６８】
なお、本実施の形態の上記説明において、発振制御部２８０は、音声信号処理装置２０１への複数のチャネルの音声入力に対応して、時分割により分離された複数の操作用基準音声信号が生成するように、基準音声信号発振部２１０を制御すると説明した。変形例としては、周波数分割により分離された複数の操作用基準音声信号が生成されてもよい。この場合には、ミキシング後の操作用調整音声信号も音声信号処理装置２０１側で周波数に基づいて複数に分けられる。また、更なる変形例としては、時分割および周波数分割により分離された複数の操作用基準音声信号が生成されてもよい。これらの場合においても、上述の効果と同様の効果を奏する。
【００６９】
また、本実施の形態の例では、音声信号処理装置２０１に３チャネルの音声信号が入力されたが、チャネル数が３に限定されないことはもちろんであり、チャネル数に応じて遠隔操作側の音声調整信部等の数が設定さればよい。
【００７０】
（第４の実施の形態）
以下、本発明の第４の実施の形態に係る音声信号処理システムについて、図面を用いて説明する。第４の実施の形態における音声信号処理システムの構成を図５に示す。上述の第３の実施の形態と第４の実施の形態を比較すると、第３の実施の形態では、音声処理装置２０１に複数のチャネルの音声信号が入力される。第４の実施の形態では、さらに、複数のチャネルの音声信号が音声信号処理装置２０２から出力される。そして、音声信号処理システムは、入力側の複数のチャネルだけでなく、出力側の複数のチャネルも個別に遠隔操作できるように構成される。
【００７１】
図５を参照すると、本実施の形態の例では、ｍチャネルの音声信号が入力され、ｎチャネルの音声信号が出力される。ｍチャネルの入力音声信号に対応して、ｍ個の音声入力部２５０１〜２５０ｍが設けられる。また、ｎチャネルの出力音声信号に対応して、ｎ個の音声出力部２７０１〜２７０ｎが設けられる。
【００７２】
信号処理部２６０は、ｍチャネルの入力音声信号を個別に調整する。調整後のｍチャネルの音声信号が信号処理部２６０でミキシングされ、それから出力用のｎチャネルの音声信号が生成される。さらに、ｎチャネルの出力音声信号が個別に調整されて、音声出力部２７０１〜２７０ｎへ出力される。
基準音声信号発振部２１０は、発振制御部２８０の制御の下で、上記の入出力の全チャネル数に対応した数に分離された操作用基準音声信号を生成する。ここでは、全チャネル数をＸ（＝ｍ＋ｎ）とする。遠隔操作装置１０２は、全チャネル数Ｘに対応して、Ｘ個の音声入力部１１０１〜１１０Ｘおよび音声調整部１２０１〜１２０Ｘを有している。Ｘチャネルの操作用基準音声信号は、上述の実施の形態と同様に、音声調整部１２０１〜１２０Ｘにより、操作部１４０への操作に応じて個別に調整される。
【００７３】
このような構成により、ｍチャネルの入力音声とｎチャネルの出力音声を遠隔操作によって個別に調整することができる。例えば、出力側の一のチャネルをｎ１とする。遠隔操作装置１０２にて操作部１４０が操作されて、チャネルｎ１に対応する操作量が変化したとする。この操作に応じて、チャネルｎ１の操作用基準音声信号が調整される。そして、操作用調整音声信号が他の信号と混合されて音声信号処理装置２０２側に送られる。音声信号処理装置２０２側で、チャネルｎ１の操作用基準音声信号が抽出されて、チャネルｎ１の出力音声信号の処理に反映される。
このような本発明の第４の実施の形態の音声信号処理システム１００３においても、第３の実施の形態と同様の効果を奏し、複数のチャネルの音声信号処理も好適に遠隔操作できる。
【００７４】
（第５の実施の形態）
以下、本発明の第５の実施の形態に係る音声信号処理システムについて、図面を用いて説明する。第５の実施の形態における音声信号処理システム１００４の構成を図６に示す。上述の第３の実施の形態と第５の実施の形態を比較する。図４に示されるように、第３の実施の形態では、基準音声信号発振部２１０が音声信号処理装置２０１内に設けられている。これに対して、図６に示されるように、本実施の形態では、基準音声信号発振部２１０ａが操作装置１０１および音声信号処理部２０１とは別に設けられている。基準音声信号発振部２１０ａは第２の実施の形態で説明したように、遠隔操作装置１０１の近傍に設けられている。このような構成であっても、操作用基準音声信号が音声信号発振部２１０ａから遠隔操作装置１０１に入力されるので、上述した本発明の効果が奏される。
【００７５】
なお、図５に示した第４の実施の形態についても、上記の第５の実施の形態と同様、基準音声信号発振部が基準音声信号処理装置の外に設けられてよい。この点は、以下に説明する任意の他の実施の形態においても同様である。
【００７６】
（第６の実施の形態）
以下、本発明の第６の実施の形態に係る音声信号処理システムについて、図面を用いて説明する。第６の実施の形態における音声信号処理システム１００５の構成を図７および図８に示す。図７には音声信号処理システムの要部構成を示し、図８には音声信号処理システム全体の概略構成を示す。
【００７７】
図８に示されるように、第６の実施の形態における音声信号処理システム１００５では、遠隔操作装置１００Ａ、１００ＢがＡ地点およびＢ地点にそれぞれ設置されている。また、表示装置８００Ａ、８００Ｂが遠隔操作装置１００Ａ、１００Ｂと共にＡ地点およびＢ地点に設置されている。すなわち、遠隔操作装置１００Ａと表示装置８００Ａとが一対となってＡ地点に設置され、遠隔操作装置１００Ｂと表示装置８００Ｂとが一対となってＢ地点に設置されている。また、図８に示されるように、音声信号処理装置２０３は、各設置地点に設置された遠隔操作装置１００Ａ、１００Ｂおよび表示装置８００Ａ、８００Ｂに接続されている。遠隔操作装置１００Ａ、１００Ｂは、第１の実施の形態における遠隔操作装置１００と同一の構成および機能を有している。
【００７８】
上記のように複数地点に遠隔操作装置が設置される例として、大規模会議施設が挙げられる。このような施設で、２つの会議室が連結されたとする。それら２つの会議室に遠隔操作装置が設置されていたとする。この場合に、それら２つの遠隔操作装置から１つの音声信号処理装置を遠隔操作することが有用になる。
【００７９】
図７に示されるように、音声信号処理装置２０３には、２つの遠隔操作装置１００Ａ、１００Ｂからの遠隔操作に対応するために、音声計測部２２０Ａ、２２０Ｂと、操作検出部２９１Ａ、２９１Ｂと、操作選択部２９２とが設けられている。音声計測部２２０Ａ、２２０Ｂは、第１の実施の形態における音声計測部２２０と同一の機能を有している。また、操作検出部２９１Ａ、２９１Ｂは音声計測部２２０Ａ、２２０Ｂにそれぞれに接続されており、操作検出部２９１ＡはＢ地点の表示装置８００Ｂに接続され、操作検出部２９１ＢはＡ地点の表示装置８００Ａに接続されている。
【００８０】
操作検出部２９１Ａは、音声計測部２２０Ａの計測結果である変化量に変動があったとき、遠隔操作装置１００Ａからの遠隔操作があったことを検出し、Ａ地点の遠隔操作装置１００Ａの操作量の情報として、Ｂ地点の表示装置８００Ｂへ出力する。一方、操作検出部２９１Ｂは、音声計測部２２０Ｂの計測結果である変化量に変動があったとき、Ｂ地点の遠隔操作装置１００Ｂからの遠隔操作があったことを検出し、Ｂ地点の遠隔操作装置１００Ｂの操作量の情報として、Ａ地点の表示装置８００Ａへ出力する。このようにして、各地点の表示装置には、他地点の遠隔操作装置による操作量の情報（以下、他地点操作量の情報と称する）が提供されている。
【００８１】
操作選択部２９２は、操作検出部２９１Ａ、２９１Ｂと音声制御部２３０に接続されている。操作選択部２９２は、遠隔操作装置１００Ａまたは１００Ｂのうち、いずれか一方からの遠隔操作を選択する。ここでは、操作選択部２９２は、遠隔操作装置１００Ａまたは１００Ｂのうち、最後に操作された方を選択するものとする。そして、操作選択部２９２は、選択結果に基づいて、音声計測部２２０Ａまたは２２０Ｂにより計測された変化量（すなわち、操作基準音声信号に対する操作用調整音声信号の変化量）を操作量の情報として音声制御部２３０へ出力する。
【００８２】
音声制御部２３０は、操作選択部２９２より入力される変化量に基づいて、信号処理部２６０の制御信号を生成し、信号処理部２６０へ供給する。また、音声制御部２３０は、信号処理部２６０にて適用される遠隔操作の操作量の情報（以下、適用操作量の情報と称する）適用信号処理量の情報を表示装置８００Ａおよび８００Ｂへ出力する。
【００８３】
適用操作量の情報は、上述したように、遠隔操作装置１００Ａ、１００Ｂのうちで最後に操作された方の操作量に相当する。この適用操作量は、信号処理量、すなわち、音量および音質の調整量の情報でもある。同様の情報は、音声制御部２３０から音声情報表示部２４０へも表示制御のために供給されている。この表示制御の情報が、図示のように、表示装置８００Ａ、８００Ｂへも供給されてよい。
【００８４】
また、音声信号処理装置２０３において、発信部制御部２８０ａは、Ａ地点およびＢ地点の遠隔操作装置１００Ａ、１００Ｂのそれぞれに対して操作用基準音声信号を供給するように基準音声信号発振部２１０を制御する。
【００８５】
表示装置８００Ａ、８００Ｂは、コンピュータ等の情報処理機能を内蔵しており、音声信号処理装置２０３から供給される情報を処理して表示動作を行う。そして、表示装置８００Ａ、８００Ｂは、遠隔操作装置１００Ａ、１００Ｂのどちらが遠隔操作されたかの情報と、その遠隔操作による操作量の情報とを表示する。
【００８６】
より詳細には、表示装置８００Ａには、既に説明したように、音声信号処理装置２０３から適用操作量と他地点操作量の情報が供給される。適用操作量は、音声信号処理装置２０３で信号処理に適用されている操作量であり、具体的には２地点のうちで最後に遠隔操作された方の操作量である。他地点操作量は、他地点での遠隔操作の操作量の情報であり、この場合はＢ地点の操作量である。
【００８７】
表示装置８００Ａは、適用操作量と他地点操作量を比較する。両者が一致していれば、他地点（Ｂ地点）の操作量が音声信号処理装置２０３にて適用されている。両者が異なれば、表示装置８００Ａの設置されたＡ地点の操作量が適用されている。そこで、表示装置８００Ａは、適用操作量と他地点操作量の比較結果を基に、２地点の操作のどちらが適用されているかを判定する。そして、表示装置８００Ａは、適用操作量の大きさを表す情報を、操作地点の判定結果を示す情報と共に表示する。
【００８８】
表示装置８００Ｂについても同様である。ただし、表示装置８００ＡにはＢ地点の他地点操作量が供給されたのに対して、表示装置８００ＢにはＡ地点の他地点操作量が供給される。そして、このＡ地点の他地点操作量が、適用操作量と比較される。
【００８９】
次に、第６の実施の形態における音声信号処理システム１００５の動作について、図に基づいて説明する。Ａ地点およびＢ地点の遠隔操作装置１００Ａ、１００Ｂからは、操作部１４０の操作に基づいて生成された操作用調整音声信号が、音声信号処理装置２０３へ出力される。
【００９０】
音声信号処理装置２０３では、音声計測部２２０Ａおよび２２０Ｂが、各遠隔操作装置１００Ａ、１００Ｂから入力された操作用調整音声信号と操作用基準音声信号を計測し、操作用基準音声信号に対する操作用調整音声信号の変化量を操作量と求める。操作検出部２９１Ａ、２９１Ｂは、音声計測部２２０Ａ、２２０Ｂの計測結果である変化量に変動があるか否かを検出する。そして、操作検出部２９１Ａ、２９１Ｂは、変化量に変動があったとき、遠隔操作装置１００Ａ、１００Ｂからの遠隔操作があったことを検出し、遠隔操作装置１００Ａ、１００Ｂの操作量の情報を表示装置８００Ａ、８００Ｂへ出力する。
【００９１】
このとき、各地点の表示装置へは、他の地点の遠隔操作装置による他地点操作量の情報が送られる。例えば、Ｂ地点の遠隔操作装置１００Ｂから遠隔操作がなされたとき、音声計測部２２０Ｂで計測される変化量に変動が生じる。このとき、操作検出部２９１Ｂは、音声計測部２２０Ｂで計測される変化量の変動から、Ｂ地点の遠隔操作装置１００Ｂからの遠隔操作があったことを検出し、Ｂ地点の遠隔操作装置１００Ｂの操作量の情報を、他地点操作量の情報として、Ａ地点の表示装置８００Ａへ出力する。
【００９２】
操作選択部２９２は、遠隔操作装置１００Ａまたは１００Ｂのうち、最後に操作された方を選択して、選択結果に基づいて、音声計測部２２０Ａまたは２２０Ｂにより計測された操作量を音声制御部２３０へ出力する。例えば、最後に、Ｂ地点の遠隔操作装置１００Ｂから遠隔操作がなされたとき、操作選択部２９２が、音声計測部２２０Ｂにより計測された操作量を音声制御部２３０へ出力する。
【００９３】
そして、音声制御部２３０が、操作選択部２９２より入力される操作量に基づいて制御信号を生成し、信号処理部２６０に供給する。また、音声制御部２３０は、信号処理部２６０にて適用される適用操作量の情報を音声情報表示部２４０、表示装置８００Ａおよび８００Ｂへ出力する。
【００９４】
上述した音声信号処理装置２０３の動作により、Ａ、Ｂ地点の表示装置８００Ａ、８００Ｂには、適用操作量と他地点操作量の情報が供給される。適用操作量は既に説明したように信号処理に適用された操作量であって、具体的には最後になされた遠隔操作の操作量である。他地点操作量は、他方の地点の操作量であり、表示装置８００ＡにとってはＢ地点の操作量であり、表示装置８００ＢにとってはＡ地点の操作量である。各表示装置Ａ、Ｂは、適用操作量と他地点操作量を比較して、比較結果に基づいて表示処理を行う。
【００９５】
図９は、表示装置８００Ａ、８００Ｂの表示例を、遠隔操作装置１００Ａ、１００Ｂの操作例と共に示している。ここでは例として、音量操作を取り上げる。操作例は、音量の操作つまみ８０１Ａ、８０１Ｂの位置で表されている。また、表示装置８００Ａ、８００Ｂの各々は、円形に配置された複数のＬＥＤ８０２Ａ、８０２Ｂを備える。
【００９６】
図９では、遠隔操作装置１００Ａの操作量がレベル３であり、遠隔操作装置１００Ｂの操作量がレベル２である。遠隔操作装置１００Ａの方が最後に操作されたとする。
この場合、表示装置８００Ａでは、適用操作量がレベル３であり、他地点操作量がレベル２であり、両者が一致しない。このことは、表示装置８００Ａが設置されたＡ地点で最後に操作が行われて信号処理装置２０３の処理に反映されていることを示す。そこで、この場合、表示装置８００Ａは、ＬＥＤ８０２Ａをレベル３まで緑色（図では斜線）で点灯する。緑色は、表示装置の設置地点で操作が行われたことを示す。
【００９７】
一方、表示装置８００Ｂでは、適用操作量がレベル３であり、他地点操作量がレベル３であり、両者が一致する。このことは、他地点であるＡ地点で最後に操作が行われて信号処理装置２０３の処理に反映されていることを示す。そこで、この場合、表示装置８００Ｂは、ＬＥＤ８０２Ｂをレベル３まで赤色（図では網線）で点灯する。赤色は、他地点で操作が行われたことを示す。
このようにして、表示装置８００Ａ、８００Ｂは、信号処理装置２０３での適用操作量の情報を、どちらの地点で操作が行われたかの情報と共に表示することができる。
【００９８】
図１０は、別の操作例および表示例を示している。図９の状態から遠隔操作装置１００Ｂが操作されて、操作つまみ８０１Ｂの操作量がレベル４に変わったとする。
この場合、表示装置８００Ａでは、適用操作量がレベル４になり、他地点操作量もレベル４になり、両者が一致する。そこで、表示装置８００Ａは、ＬＥＤ８０２Ａをレベル４の点灯に変更し、かつ、表示色を他地点操作の赤色に変える。
【００９９】
また、表示装置８００Ｂでは、適用操作量がレベル４になるが、他地点操作量はレベル３のままであり、両者が一致しない。そこで、表示装置８００Ｂは、ＬＥＤ８０２Ｂをレベル４の点灯に変更し、表示色を緑色に変える。
このようにして、表示装置８００Ａ、８００Ｂは、任意の地点の遠隔操作に対応して、操作地点の情報を操作量と共に表示することができる。
【０１００】
このような本発明の第６の実施の形態の音声信号処理システム１００５によれば、複数の表示装置８００Ａ、８００Ｂが、複数の設置地点（Ａ地点、Ｂ地点）にて、複数の遠隔操作装置１００Ａ、１００Ｂと共に設けられ、各表示装置８００Ａ、８００Ｂには、他地点の遠隔操作装置の操作情報も含めて、操作がなされた遠隔操作装置による操作量の情報が表示される。従って、各遠隔操作装置８００Ａ、８００Ｂの操作者は、他地点の遠隔操作装置の操作情報や、操作がなされた遠隔操作装置による操作量の情報を確認しながら、音声調整をすることができる。この結果、各遠隔操作装置８００Ａ、８００Ｂにて、操作の競合を回避できる。
【０１０１】
また、各表示装置８００Ａ、８００Ｂは、音声信号処理装置２０３からの供給された適用操作量の情報と、他地点操作量の情報とを比較し、比較結果に基づいて情報の表示を行う。従って、他地点の遠隔操作装置の操作状態を表示装置で好適に表示できる。
【０１０２】
また、本実施の形態では、表示装置８００Ａ、８００Ｂは、音声信号処理装置２０３と接続され、音声信号処理装置２０３から供給される情報、具体的には適用操作量と他地点操作量の情報を処理して表示を行う。表示装置８００Ａ、８００Ｂは、遠隔操作装置１００Ａ、１００Ｂと情報提供のために接続されなくてよい。これにより、遠隔操作装置１００Ａ、１００Ｂの構成を簡単にできる。例えば、本実施の形態のように既存のミキサーを遠隔操作装置として有効利用しようとするときでも、改修せずに既存のミキサーのそのまま使用することができる。
【０１０３】
なお、本実施の形態の上記説明では、遠隔操作装置および表示装置が、Ａ地点およびＢ地点の２箇所の地点に設置されていると説明したが、遠隔操作装置および表示装置が、３箇所以上の地点に設置されてもよい。
【０１０４】
また、本実施の形態に係る発明に、上記第２〜５の実施の形態に係る発明を組み合わせても良い。これにより、本実施の形態に係る発明の効果と共に、上記第４〜６の実施の形態に係る発明の効果も奏することができる。
【０１０５】
（第７の実施の形態）
以下、本発明の第７の実施の形態に係る音声信号処理システムについて、図面を用いて説明する。本発明の第７の実施の形態における音声信号処理システムの構成を図１１および図１２に示す。図１１には音声信号処理システムの要部構成を示し、図１２には音声信号処理システム全体の概略構成を示す。
【０１０６】
上述の第６の実施の形態と第７の実施の形態を比較すると、第６の実施の形態では、図７に示されるように、遠隔操作装置１００Ａ、１００Ｂおよび表示装置８００Ａ、８００Ｂが、Ａ地点およびＢ地点にそれぞれ設置されている。これに対し、図１１および図１２に示されるように、第７の実施の形態では、更に選択操作装置９００Ａ、９００Ｂが、Ａ地点およびＢ地点にそれぞれ設置されている。
【０１０７】
図１２に示されるように、音声信号処理装置２０４は、各設置地点に設置された遠隔操作装置１００Ａ、１００Ｂ、表示装置８０１Ａ、８０１Ｂおよび選択操作装置９００Ａ、９００Ｂに接続されている。選択操作装置９００Ａ、９００Ｂは、表示装置８００Ａ、８００Ｂにそれぞれ接続されている。
【０１０８】
選択操作装置９００Ａ、９００Ｂは、操作者により操作されるボタン、スイッチ等の操作部を備えた装置である。選択操作装置９００Ａ、９００Ｂには、操作者により地点選択操作が行われる。地点選択操作は、設置地点（Ａ地点またはＢ地点）の遠隔操作装置から音声信号処理装置２０４を独占的に操作するための操作であり、つまり、他地点からの遠隔操作を禁止するための操作である。選択操作装置９００Ａ、９００Ｂは上記の地点選択操作を行える構成であればよく、簡単な構成の装置であってよい。
【０１０９】
選択操作装置９００Ａ、９００Ｂに対する地点選択操作の信号は、音声信号処理装置２０４へ送られて、操作選択部２９２ａへと供給される。操作選択部２９２ａは、Ａ地点またはＢ地点の選択操作装置９００Ａ、９００Ｂのうち、一の選択操作装置からの操作を受け付けると、選択された一の選択操作装置以外である他の選択操作装置の設置地点に設けられた遠隔操作装置による遠隔操作を禁止する。そして、操作選択部２９２ａは、選択結果に基づいて、音声計測部２２０Ａまたは２２０Ｂにより計測された変化量、すなわち、操作基準信号に対する操作用調整音声信号の変化量を音声制御部２３０へ出力する。
【０１１０】
例えば、操作選択部２９２ａは、Ａ地点の選択操作装置９００Ａからの操作を受け付けると、Ｂ地点の選択操作装置９００Ｂの設置地点に設けられた遠隔操作装置１００Ｂによる遠隔操作を禁止して、音声計測部２２０Ａにより計測された変化量を音声制御部２３０へ出力する。同様に、操作選択部２９２ａは、Ｂ地点の選択操作装置９００Ｂからの操作を受け付けると、Ａ地点の選択操作装置９００Ａの設置地点に設けられた遠隔操作装置１００Ａによる遠隔操作を禁止して、音声計測部２２０Ｂにより計測された変化量を音声制御部２３０へ出力する。
【０１１１】
表示装置８００Ａ、８００Ｂは、音響信号処理装置２０４および選択操作装置９００Ａ、９００Ｂに接続されている。選択操作装置９００Ａ、９００Ｂによる地点選択操作の信号は、表示装置８００Ａ、８００Ｂにも供給され、この地点選択操作の情報に基づいた表示処理が表示装置８００Ａ、８００Ｂで行われる。
【０１１２】
詳しくは、表示装置８００Ａには、音声信号処理装置２０４の操作検出部２９１Ｂから、他地点操作量、すなわち、Ｂ地点の遠隔操作装置１００Ｂにおける操作量の情報が入力されている。また、表示装置８００Ａには、選択操作装置９００Ａからの地点選択操作の信号が入力される。表示装置８００Ａには通常、操作検出部２９１Ｂからの他地点操作量の情報が表示される。選択操作装置９００Ａにより選択操作がなされた場合には、表示装置８００Ａが消灯され、表示装置８００Ａで表示されていた遠隔操作装置１００Ｂの操作情報が不表示となる。
【０１１３】
同様に、表示装置８００Ｂには、操作検出部２９１Ａから他地点操作量（Ａ地点）の情報が入力され、選択操作装置９００Ｂから地点選択操作の信号が入力される。表示装置８００Ｂには通常、操作検出部２９１Ａからの他地点操作量の情報が表示される。選択操作装置９００Ａにより選択操作がなされた場合には、表示装置８００Ｂが消灯され、表示装置８００Ｂで表示されていた遠隔操作装置１００Ａの操作情報が不表示となる。
【０１１４】
次に、第７の実施の形態における音声信号処理システム１００６の動作について、図に基づいて説明する。Ａ地点およびＢ地点の遠隔操作装置１００Ａ、１００Ｂからは、操作部１４０の操作に基づいて生成された操作用調整音声信号が、音声信号処理装置２０４へ出力されている。そして、表示装置８００Ａには遠隔操作装置１００Ｂの操作情報が表示され、表示装置８００Ｂには遠隔操作装置１００Ａの操作情報が表示されている。このとき、Ａ地点の遠隔操作装置１００Ａの操作者は、表示装置８００Ａの表示から、遠隔操作装置１００Ｂの遠隔操作状況を確認できる。Ｂ地点の遠隔操作装置１００Ｂの操作者は、表示装置８００Ｂの表示から、遠隔操作装置１００Ａの遠隔操作状況を確認できる。
【０１１５】
ここで、例えば選択操作装置９００Ａが操作されると、操作選択部２９２ａは、Ａ地点の選択操作装置９００Ａからの操作を受け付けて、Ｂ地点に設けられた遠隔操作装置１００Ｂによる遠隔操作を禁止して、音声計測部２２０Ａにより計測された変化量を音声制御部２３０へ出力する。また、選択操作装置９００Ａにより地点選択操作がなされたと同時に、表示装置８００Ａが消灯され、表示装置８００Ａで表示されていた遠隔操作装置１００Ｂの操作情報が不表示となる。
【０１１６】
音声信号処理装置２０４では、音声制御部２３０が、選択操作装置９００Ａの操作に従って、音声計測部２２０Ａにより計測された変化量に基づいて、信号処理部２６０の制御信号を生成して、これを信号処理部２６０へ出力する。以降の動作については、上記第１の実施の形態で説明した通りである。
【０１１７】
同様に、選択操作装置９００Ｂが操作されると、操作選択部２９２ａは、Ａ地点の選択操作装置９００Ａの設置地点に設けられた遠隔操作装置１００Ａによる遠隔操作を禁止して、音声制御部２３０が、選択操作装置９００Ｂの操作に従って、音声計測部２２０Ｂにより計測された変化量に基づいて、信号処理部２６０の制御信号を生成して、これを信号処理部２６０へ出力する。
【０１１８】
このような本発明の第７の実施の形態の音声信号処理システム１００６によれば、複数の選択操作装置９００Ａ、９００Ｂが、複数の遠隔操作装置１００Ａ、１００Ｂと共に、複数の設置地点（Ａ地点、Ｂ地点）に設けられ、音声信号処理装置２０４は、複数の選択操作装置９００Ａ、９００Ｂのうち、一の選択操作装置からの操作を受け付けると、一の選択操作装置以外である他の選択操作装置の設置地点に設けられた遠隔操作装置による遠隔操作を禁止するので、複数の選択操作装置による各操作が確実に互いに競合しないようにすることができる。
【０１１９】
また、本実施の形態では、選択操作装置９００Ａ、９００Ｂおよび表示装置８００Ａ、８００Ｂも音声信号処理装置２０４と接続されている。また、選択操作装置９００Ａ、９００Ｂが表示装置８００Ａ、８００Ｂに接続されている。しかし、遠隔操作装置１００Ａ、１００Ｂは、選択操作装置９００Ａ、９００Ｂおよび表示装置８００Ａ、８００Ｂとは情報通信のために直接接続されなくてよい。これにより、前出の実施の形態と同様、遠隔操作装置１００Ａ、１００Ｂの構成を簡単にできる。例えば、本実施の形態のように既存のミキサーを遠隔操作装置として有効利用しようとするときでも、改修せずに既存のミキサーのそのまま使用することができる。
【０１２０】
なお、本実施の形態の上記説明では、遠隔操作装置、表示装置および選択操作装置が、Ａ地点およびＢ地点の２箇所の地点に設置されていると説明したが、遠隔操作装置、表示装置および選択操作装置が、３箇所以上の地点に設置されてもよい。
【０１２１】
また、本実施の形態に係る発明に、上記第２〜６の実施の形態に係る発明を組み合わせても良い。これにより、本実施の形態に係る発明の効果と共に、上記第２〜６の実施の形態に係る発明の効果も奏することができる。
【０１２２】
（第８の実施の形態）
以下、本発明の第８の実施の形態に係る音声信号処理システムについて、図面を用いて説明する。第８の実施の形態における音声信号処理システムの構成を図１３に示す。
【０１２３】
第６の実施の形態と第８の実施の形態を比較すると、第６の実施の形態では、図7および図８に示されるように、Ａ地点、Ｂ地点に設置された遠隔操作装置１００Ａ、１００Ｂおよび表示装置８００Ａ、８００Ｂが音声信号処理装置２０３に接続されている。これに対し、図１３に示されるように、本実施の形態では、Ｂ地点の遠隔操作装置１００Ｂおよび表示装置８００Ｂの代わりに、設定メモリ選択装置２０００が音声信号処理装置２０３に接続されている。
【０１２４】
設定メモリ選択装置２０００は、設定メモリ２００１を備えている。設定メモリ２００１には、設定調整音声信号が記憶されている。設定調整音声信号は、操作用調整音声信号の一種であり、詳しくは、操作用基準音声信号を調整することにより、予め設定された操作用調整音声信号である。設定調整音声信号は、固定の操作用調整音声信号ということもできる。設定調整音声信号は、使用状況に応じて設定することができる。例えば、体育館に音声信号処理システム１００７が設置されている場合は、体育館で行われる各行事（例えば、朝会や演奏会やスポーツ大会）といった使用状況に応じて、複数の設定調整音声信号を設定できる。
【０１２５】
設定メモリ選択装置２０００は、ユーザにより操作され、ユーザ操作に従って、設定メモリ２００１中の複数の設定調整音声信号の１つを読み出す。設定メモリ２００１には１つの設定調整音声信号が記憶されてもよく、この場合にはユーザ操作に従って１つの設定調整音声信号が読み出される。設定メモリ選択操作装置２０００は、設定メモリ２００１から読み出した設定調整音声信号を音声信号処理装置２０５へと出力する。
【０１２６】
音声信号処理装置２０５は、前出の第６の実施の形態と同様の構成を有する。ただし、第６の実施の形態では遠隔操作装置１００Ｂからの操作用調整音声信号が処理されたのに対して、本実施の形態では設定メモリ２００１からの設定調整音声信号が処理される。そして、操作検出部２９１Ｂから表示装置８００Ａには、設定調整音声信号に応じた操作量の情報が供給される。また、操作検出部２９１Ｂから遠隔操作側への情報供給は行われなくてよい。
【０１２７】
表示装置８００Ａは、第６の実施の形態と同様の構成を有する。ただし、第６の実施の形態では、他地点操作量が表示装置８００Ａに供給された。一方、本実施の形態では、設定調整音声信号に応じた操作量の情報が供給される。この操作量が、第６の実施の形態での他地点操作量の情報と同様に処理される。これにより、表示装置８００Ａは、Ａ地点の遠隔操作装置１００Ａによる遠隔操作と設定メモリ２００１からの設定調整音声信号のどちらが音声信号処理装置２０５で適用されているかの情報を、適用操作量と共に表示できる。
【０１２８】
次に、本発明の第８の実施の形態における音声信号処理システム１００７の動作について、図に基づいて説明する。設定メモリ選択操作２０００に対して選択操作が行われると、設定メモリ選択装置２０００が、設定メモリ２００１に予め設定された設定調整音声信号を読み出して、音声計測部２２０Ｂへ出力する。
【０１２９】
音声信号処理装置２０５では、音声計測部２２０Ｂが、設定メモリ選択装置２０００から設定調整音声信号を受け付けて、操作用基準音声信号に対する設定調整音声信号の変化量を計測する。次に、操作検出部２９１Ｂが、音声計測部２２０Ｂの計測結果である変化量の変動から、設定メモリ選択装置２０００から入力があったことを検出し、設定調整音声信号に応じた操作量の情報を表示装置８００Ａへ出力する。
【０１３０】
操作選択部２９２ｂは、遠隔操作装置１００Ａまたは設定メモリ選択装置２０００のうち、最後に操作された方を選択して、選択結果に基づいて、音声計測部２２０Ａまたは２２０Ｂにより計測された変化量を音声制御部２３０へ出力する。例えば、最後に、設定メモリ選択装置２０００により操作がなされたとき、操作選択部２９２ｂが、音声計測部２２０Ｂにより計測された変化量を音声制御部２３０へ出力する。
【０１３１】
以後の処理は、第６の実施の形態と同様である。従って、設定メモリ２００１から設定調整音声信号が供給されると、その時は、設定調整音声信号に従って、音声信号処理装置２０５が信号処理を行う。その後で遠隔操作装置１００Ａが操作されると、この操作に従って信号処理が行われる。また、表示装置８００Ａは、前述したように、Ａ地点の操作とメモリデータによる操作のどちらが適用されているかの情報を、操作量の情報と共に表示する。
【０１３２】
このような本発明の第８の実施の形態の音声信号処理システム１００７によれば、遠隔操作装置１００Ａからの操作用調整信号に加えて、設定メモリ２００１に予め設定された設定調整音声信号を用いて、音声信号処理装置２０５に信号処理を行わせることができる。従って、例えば、使用状況に応じた調整音声信号を設定メモリ２００１に予め設定して、これを用いて音声信号処理装置２０５に信号処理を行わせることができる。
【０１３３】
なお、本実施の形態の上記説明では、設定メモリ選択装置が１箇所に設置されていると説明したが、設定メモリ選択装置を複数箇所に設置してもよい。
【０１３４】
また、本実施の形態に係る発明に、上記第２〜７の実施の形態に係る発明を組み合わせても良い。これにより、本実施の形態に係る発明の効果と共に、上記第２〜７の実施の形態に係る発明の効果も奏することができる。
【０１３５】
以上、本発明の実施の形態を例示により説明したが、本発明の範囲はこれらに限定されるものではなく、請求項に記載された範囲内において目的に応じて変更・変形することが可能である。
【産業上の利用可能性】
【０１３６】
以上のように、本発明は、配線工事により遠隔操作用の制御線を新たに設ける必要がなく、遠隔操作可能な音声信号処理システムを簡単な構成で容易に設置できるという効果を有し、各種施設等の音声処理システム等に有用である。
【図面の簡単な説明】
【０１３７】
【図１】本発明の第１の実施の形態における音声信号処理システムの構成を示す図
【図２】本発明の第１の実施の形態における音声信号処理システム全体の概略構成を示す図
【図３】本発明の第２の実施の形態における音声信号処理システムの構成を示す図
【図４】本発明の第３の実施の形態における音声信号処理システムの構成を示す図
【図５】本発明の第４の実施の形態における音声信号処理システムの構成を示す図
【図６】本発明の第５の実施の形態における音声信号処理システムの構成を示す図
【図７】本発明の第６の実施の形態における音声信号処理システムの構成を示す図
【図８】本発明の第６の実施の形態における音声信号処理システム全体の概略構成を示す図
【図９】遠隔操作装置の操作例と表示装置の表示例を示す図
【図１０】遠隔操作装置の操作例と表示装置の表示例を示す図
【図１１】本発明の第７の実施の形態における音声信号処理システムの構成を示す図
【図１２】本発明の第７の実施の形態における音声信号処理システム全体の概略構成を示す図
【図１３】本発明の第８の実施の形態における音声信号処理システムの構成を示す図
【図１４】従来の音声信号処理システムの構成を示す図
【符号の説明】
【０１３８】
１００、１００Ａ、１００Ｂ、１０１、１０２  遠隔操作装置
１１０、１１０１〜１１０Ｘ  音声入力部
１２０、１２０１〜１２０Ｘ  音声調整部
１３０  音声出力部
１４０  操作部
１５０  ミキシング部
２００〜２０５  音声信号処理装置
２１０  基準音声信号発振部
２２０、２２０Ａ、２２０Ｂ  音声計測部
２３０  音声制御部
２４０  音声情報表示部
２５０、２５０１〜２５０ｍ  音声入力部
２６０  信号処理部
２７０、２７０１〜２７０ｎ  音声出力部
２８０、２８０ａ  発振制御部
２９１Ａ、２９１Ｂ  操作検出部
２９２、２９２ａ、２９２ｂ  操作選択部
７１０、７２０、７３０、７４０  音声伝送線
８００Ａ、８００Ｂ  表示装置
９００Ａ、９００Ｂ  選択操作装置
１０００〜１００７  音声信号処理システム
２０００  設定メモリ選択装置
２００１  設定メモリ
【図１】
2008306556.tif 000003
【図２】
2008306556.tif 000004
【図３】
2008306556.tif 000005
【図４】
2008306556.tif 000006
【図５】
2008306556.tif 000007
【図６】
2008306556.tif 000008
【図７】
2008306556.tif 000009
【図８】
2008306556.tif 000010
【図９】
2008306556.tif 000011
【図１０】
2008306556.tif 000012
【図１１】
2008306556.tif 000013
【図１２】
2008306556.tif 000014
【図１３】
2008306556.tif 000015
【図１４】
2008306556.tif 000016